【手続補正書】
【提出日】平成21年6月4日(2009.6.4)
【手続補正１】
【補正対象書類名】特許請求の範囲
【補正対象項目名】請求項１
【補正方法】変更
【補正の内容】
【請求項１】
湾曲部の外皮体を固定するために前記外皮体の外周に巻回される帯状部材であって、
一端側に設けられている固定部と、
他端側に設けられ、前記固定部に収容及び係合される固定用係合部と、
を具備することを特徴とする内視鏡湾曲部用帯状部材。
【手続補正２】
【補正対象書類名】特許請求の範囲
【補正対象項目名】請求項５
【補正方法】変更
【補正の内容】
【請求項５】
前記固定用係合部及び前記固定部並びに前記作業用係合部及び前記作業用窓部は、前記帯状部材の両端部が互いに重ね合わされた場合に、前記固定用係合部と前記固定部とが互いに重ね合わされ、前記作業用係合部と前記作業用窓部とが互いに重ね合わされるように、配置されている、
ことを特徴とする請求項２に記載の内視鏡湾曲部用帯状部材。
【手続補正３】
【補正対象書類名】明細書
【補正対象項目名】０００６
【補正方法】変更
【補正の内容】
【０００６】
本発明の第１実施態様の内視鏡湾曲部用帯状部材は、湾曲部の外皮体を固定するために前記外皮体の外周に巻回される帯状部材であって、一端側に設けられている固定部と、他端側に設けられ、前記固定部に収容及び係合される固定用係合部と、を具備することを特徴とする。
【手続補正４】
【補正対象書類名】明細書
【補正対象項目名】００１０
【補正方法】変更
【補正の内容】
【００１０】
本発明の第５実施態様の内視鏡湾曲部用帯状部材は、第２実施態様の内視鏡湾曲部用帯状部材において、前記固定用係合部及び前記固定部並びに前記作業用係合部及び前記作業用窓部が、前記帯状部材の両端部が互いに重ね合わされた場合に、前記固定用係合部と前記固定部とが互いに重ね合わされ、前記作業用係合部と前記作業用窓部とが互いに重ね合わされるように、配置されている、ことを特徴とする。
【手続補正５】
【補正対象書類名】明細書
【補正対象項目名】００１２
【補正方法】変更
【補正の内容】
【００１２】
本発明の第１実施態様の内視鏡湾曲部用帯状部材では、湾曲部の外皮体の外周に帯状部材を巻回し、帯状部材を縮径して固定部に固定用係合部を係合することにより、帯状部材の所定の内径に応じた一定の締付力により外皮体を締め付けて、外皮体を固定することができる。このように、外皮体を容易に固定することが可能となっている。また、固定部に固定用係合部が収容されるため、外皮体を固定した状態で、帯状部材の内外周は比較的滑らかな形状となり、帯状部材が内視鏡湾曲部の外皮体の固定に適したものとなっている。
【手続補正６】
【補正対象書類名】明細書
【補正対象項目名】００１４
【補正方法】変更
【補正の内容】
【００１４】
本発明の第３実施態様の内視鏡湾曲部用帯状部材では、固定部あるいは作業用窓部に折返部が収容されると、折返部の外面が帯状部材の内周面あるいは外周面と略同一面となるため、帯状部材の内外周が充分に滑らかな形状となり、帯状部材が内視鏡湾曲部の外皮体の固定にさらに適したものとなっている。
【手続補正７】
【補正対象書類名】明細書
【補正対象項目名】００１６
【補正方法】変更
【補正の内容】
【００１６】
本発明の第５実施態様の内視鏡湾曲部用帯状部材では、帯状部材の両端部が互いに重ね合わされた場合に、対応する固定用係合部と固定部並びに作業用係合部と作業用窓部とが互いに重ね合わされるため、作業用係合部と作業用窓部とを用いた帯状部材の締付と、固定用係合部と固定部とを用いた帯状部材の固定とを連続的に円滑に行うことが可能となっている。このため、外皮体をさらに容易に固定することが可能となっている。
【手続補正８】
【補正対象書類名】明細書
【補正対象項目名】００２２
【補正方法】変更
【補正の内容】
【００２２】
図３を参照し、帯状部材３２は、ＳＵＳばね材等の一定の弾性を有する材料によって形成されている。帯状部材３２の一端部には、帯状部材３２を固定するための固定用係合部としての固定用折返部３４ａが配設されており、他端部には、帯状部材３２を締め付けるための作業用係合部としての作業用折返部３４ｂが配設されている。これら折返部３４ａ，３４ｂは、帯状部材３２の一端及び他端の幅狭の部分を、帯状部材３２の裏面及び表面へと折り返すことにより形成されている。そして、帯状部材３２の他端部において、作業用折返部３４ｂよりも帯状部材３２の長手方向の中央側に、帯状部材３２を固定するための長方形形状の固定部３６ａが貫通形成されている。この固定部３６ａには、固定用折返部３４ａが収容及び係合される。一方、帯状部材３２の一端部において、固定用折返部３４ａよりも帯状部材３２の長手方向の中央側に、帯状部材３２を締め付けるための長方形形状の作業用窓部３６ｂが貫通形成されている。この作業用窓部３６ｂには、締付用工具としての精密ドライバーが挿通されると共に、作業用折返部３４ｂが収容される。
【手続補正９】
【補正対象書類名】明細書
【補正対象項目名】００２３
【補正方法】変更
【補正の内容】
【００２３】
図４を参照し、帯状部材３２を外皮チューブ３０に巻回して固定した状態では、帯状部材３２の両端部が互いに重ね合わされている。固定用折返部３４ａ及び作業用窓部３６ｂが形成されている端部が外側に、作業用折返部３４ｂ及び固定部３６ａが形成されている端部が内側に配置されており、固定用折返部３４ａと固定部３６ａとが、また、作業用窓部３６ｂと作業用係合部３４ｂとが、互いに重ね合わされるように配置されている。
【手続補正１０】
【補正対象書類名】明細書
【補正対象項目名】００２４
【補正方法】変更
【補正の内容】
【００２４】
帯状部材３２の長手方向に対して、固定用折返部３４ａの幅は固定部３６ａの幅と略等しく、固定用折返部３４ａの長さは固定部３６ａの長さよりも僅かに小さくなっており、固定用折返部３４ａは固定部３６ａ内に収容されている。固定用折返部３４ａの外面は帯状部材３２の内周面と略同一面となっており、帯状部材３２の内周面が滑らかな形状となっている。
【手続補正１１】
【補正対象書類名】明細書
【補正対象項目名】００２５
【補正方法】変更
【補正の内容】
【００２５】
固定用折返部３４ａの端面は、固定部３６ａの端部側の側壁に当接され係止されている。さらに、帯状部材３２の両端部の重なり部分が互いに接着されている。このようにして、帯状部材３２は所定の内径を保持することとなり、帯状部材３２の内径に応じた一定の締付力で外皮チューブ３０の端部が締め付けられることとなる。なお、固定用折返部３４ａ及び固定部３６ａの位置を適宜設定することにより、帯状部材３２の内径、従って、締付力を適宜設定することが可能である。
【手続補正１２】
【補正対象書類名】明細書
【補正対象項目名】００２６
【補正方法】変更
【補正の内容】
【００２６】
一方、固定用折返部３４ａ及び固定部３６ａと同様に、帯状部材３２の長手方向に対して、作業用折返部３４ｂの幅は作業用窓部３６ｂの幅と略等しく、作業用折返部３４ｂの長さは作業用窓部３６ｂの長さよりも僅かに小さくなっており、作業用折返部３４ｂは作業用窓部３６ｂ内に収容されている。そして、作業用折返部３４ｂの外面は帯状部材３２の外周面と略同一面となっており、帯状部材３２の外周面が滑らかな形状となっている。
【手続補正１３】
【補正対象書類名】明細書
【補正対象項目名】００２９
【補正方法】変更
【補正の内容】
【００２９】
次に、帯状部材３２による外皮チューブ３０の固定方法について説明する。  
図５を参照し、帯状部材３２によって外皮チューブ３０を固定する際には、帯状部材３２を外皮チューブ３０の端部に巻き付けて、作業用折返部３４ｂ及び固定部３６ａが形成されている端部の外側に、固定用折返部３４ａ及び作業用窓部３６ｂが形成されている端部を重ねる。この後、精密ドライバー４０を用いて帯状部材３２を締め付ける。即ち、精密ドライバー４０の先端部を作業用窓部３６ｂに挿通させて、精密ドライバー４０の先端を作業用折返部３４ｂの端面に係合させる。そして、作業用窓部３６ｂの端部側の側壁を支点として、てこの原理により、精密ドライバー４０の先端を帯状部材３２の周方向に移動させて、作業用折返部３４ｂの端面を押圧して帯状部材３２を締め付ける。帯状部材３２の周方向について、固定部３６ａの端部側の側壁が固定用折返部３４ａの端面を僅かに越えたら、固定用折返部３４ａを固定部３６ａに押し込んで、帯状部材３２の両端部を重ね合わせる。この際、作業用折返部３４ｂは作業用窓部３６ｂに押し込まれるが、作業用折返部３４ｂの端面と作業用窓部３６ｂの端部側の側壁との間にはクリアランスが形成され、このクリアランスに精密ドライバー４０の先端が収められる。続いて、精密ドライバー４０を作業用窓部３６ｂから引き抜いて、精密ドライバー４０の先端による作業用折返部３４ｂの端面への押圧を解除する。この結果、帯状部材３２の弾性により、固定用折返部３４ａの端面が固定部３６ａの端部側の側壁に当接されて係止される。そして、帯状部材３２の内径に応じた一定の締付力で、外皮チューブ３０の端部が締め付けられる。なお、帯状部材３２の両端部の重なり部分は、接着剤によって互いに接着される。
【手続補正１４】
【補正対象書類名】明細書
【補正対象項目名】００３１
【補正方法】変更
【補正の内容】
【００３１】
本実施形態の帯状部材３２では、湾曲部１６の外皮チューブ３０の外周に帯状部材３２を巻回し、帯状部材３２を縮径して固定部３６ａに固定用折返部３４ａを係合することにより、帯状部材３２の所定の内径に応じた一定の締付力により外皮チューブ３０を締め付けて、外皮チューブ３０を固定することができる。このように、外皮チューブ３０を容易に固定することが可能となっている。また、固定部３６ａに固定用折返部３４ａが収容されるため、帯状部材３２の内外周は比較的滑らかな形状となり、帯状部材３２が湾曲部１６の外皮チューブ３０の固定に適したものとなっている。
【手続補正１５】
【補正対象書類名】明細書
【補正対象項目名】００３３
【補正方法】変更
【補正の内容】
【００３３】
さらに、固定部３６ａ及び作業用窓部３６ｂに固定用折返部３４ａ及び作業用折返部３４ｂが夫々収容されると、固定用折返部３４ａ及び作業用折返部３４ｂの外面が、夫々、帯状部材３２の内周面及び外周面と略同一面となる。このため、帯状部材３２の内外周が充分に滑らかな形状となり、帯状部材３２が湾曲部１６の外皮チューブ３０の固定にさらに適したものとなっている。
【手続補正１６】
【補正対象書類名】明細書
【補正対象項目名】００３４
【補正方法】変更
【補正の内容】
【００３４】
加えて、帯状部材３２の両端部が互いに重ね合わされた場合に、対応する固定用折返部３４ａと固定部３６ａ並びに作業用折返部３４ｂと作業用窓部３６ｂとが互いに重ね合わされるため、作業用折返部３４ｂと作業用窓部３６ｂとを用いた帯状部材３２の締付と、固定用折返部３４ａと固定部３６ａとを用いた帯状部材３２の固定とを連続的に円滑に行うことが可能となっている。このため、外皮チューブ３０をさらに容易に固定することが可能となっている。
【手続補正１７】
【補正対象書類名】明細書
【補正対象項目名】００３７
【補正方法】変更
【補正の内容】
【００３７】
図６を参照し、本実施形態では、固定用係合部及び作業用係合部として、夫々、固定用爪部４２ａ及び作業用爪部４２ｂを用いている。即ち、固定用折返部３４ａ及び作業用折返部３４ｂに代わって、帯状部材３２の両端部に、夫々、帯状部材３２の長手方向の端部側に向かって開くコ字状の切り込みをいれて、帯状部材３２の一部分を突出させることにより、爪部４２ａ，４２ｂが形成されている。帯状部材３２を外皮チューブ３０に巻回して固定した状態では、固定用爪部４２ａは固定部３６ａ内に嵌合され収容されており、固定用爪部４２ａの端面は固定部３６ａの端部側の側壁に当接され係止されている。一方、作業用爪部４２ｂは作業用窓部３６ｂ内に収容されており、作業用爪部４２ｂの端面は作業用窓部３６ｂの端部側の側壁から離間されている。
【手続補正１８】
【補正対象書類名】明細書
【補正対象項目名】００３８
【補正方法】変更
【補正の内容】
【００３８】
本実施形態の帯状部材３２による外皮チューブ３０の固定方法は、第１実施形態の固定方法と同様である。即ち、図７を参照し、作業用窓部３６ｂを介して、精密ドライバー４０の先端を作業用爪部４２ｂの端面に係合させて、精密ドライバー４０によって、てこの原理により帯状部材３２を締め付ける。そして、固定部３６ａの端部側の側壁が固定用爪部４２ａの端面を僅かに越えたら、固定用爪部４２ａ及び作業用爪部４２ｂを固定部３６ａ及び作業用窓部３６ｂに夫々押し込み、続いて、精密ドライバー４０の先端による作業用爪部４２ｂの端面への押圧を解除し、固定用爪部４２ａの端面を固定部３６ａの端部側の側壁に当接させて係止させる。
【手続補正１９】
【補正対象書類名】明細書
【補正対象項目名】００４６
【補正方法】変更
【補正の内容】
【００４６】
１６…湾曲部、２８…外皮体、３２…帯状部材、３４ａ；４２ａ…固定用係合部、３６ａ…固定部。